(57)【要約】【課題】ねじ・ナットや筐体を用いることなく、回路基板を重ね状態或いは平面的な横並び状態で、簡単な操作で基板間の接続やその解除ができる接続保持装置の実現。【解決手段】板状部材２と弾性線状部材からなる押さえ保持部材１を有し、板状部材２には押さえ保持部材１の係止部４が係る係止受け部３と、同じく係合脚部５が貫通する貫通孔６を設け、押さえ保持部材１は、係止部４を係止したときに傾斜屈曲し、前方は直角に曲った係合脚部５を設け、その先端は、貫通孔６に挿入して手を放すと弾性により貫通孔６の下面縁部に引っ掛るよう直角に折り曲げた保持部７を設ける。これにより、貫通孔６と同じ貫通孔を設けられた回路基板とコネクタは保持部７により板状部材２へ押さえつけられ保持される。【選択図】図１
2010027343.tif 000002
【特許請求の範囲】
【請求項１】
押さえ用の板状部材と、弾性線状部材で形成された押さえ保持部材とからなり、前記板状部材には、前記押さえ保持部材の係止部を係止する係止受け部と、前記押さえ保持部材の係合脚部が貫通し得る貫通孔とが設けられ、前記押さえ保持部材は、１本の弾性線状部材の長手中央部分がコの字状に屈曲して係止部が形成され、コ字状屈曲部から予め定めた寸法の位置でコ字部を含む平面に対して傾斜するように屈曲して延び、予め定めた寸法の位置で反転直角状に屈曲して係合脚部を形成し、その先端部分で端部が直角状に屈曲して保持部を形成していることを特徴とする接続保持装置。
【請求項２】
押さえ用の板状部材と、弾性線状部材で形成された押さえ保持部材とからなり、前記板状部材には、前記押さえ保持部材の係止部を係止する係止受け部と前記押さえ保持部材の係合脚部が貫通し得る貫通孔とが設けられ、前記押さえ保持部材は、１本の弾性線状部材の長手中央部から両側へ予め定めた寸法の位置で同一平面内で対称に直角状に屈曲して係止部が形成され、該屈曲箇所から予め定めた寸法の位置で前記同一平面内で、前記中央部分に平行に両側から寄り合うように屈曲し、そこから予め定めた寸法の位置で両側の線状部材が前記同一平面内で平行になるように対称に屈曲し、予め定めた寸法だけ延びた位置で前記平面に対して傾斜するように屈曲して延び、予め定めた寸法の位置で反転直角状に屈曲して係合脚部を形成し、その先端部分で端部が直角状に屈曲して保持部を形成していることを特徴とする接続保持装置。
【請求項３】
１枚の板状部材と複数の押さえ保持部材とからなり、板状部材には複数の押さえ保持部材に対応する係止受け部と貫通孔を有することを特徴とする請求項１または請求項２記載の接続保持装置。
【請求項４】
押さえ保持部材がその係止部を背中合わせにして板状部材の係止受け部に係止されることを特徴とする請求項３記載の接続保持装置。
【請求項５】
係止受け部が板状部材の両側縁又は中央部にフック状に設けられていることを特徴とする請求項１〜４のいずれか１項に記載の接続保持装置。
【請求項６】
保持部は、互いに向き合い近付くように内側に向けて屈曲されていることを特徴とする請求項１ないし５のいずれか１項に記載の接続保持装置。
【請求項７】
板状部材の貫通孔に、挿入開口部分に誘い傾斜面を有する筒状のガイド筒が設けられていることを特徴とする請求項１ないし６のいずれか１項に記載の接続保持装置。
【請求項８】
板状部材の裏面側に、板状絶縁体の１面に２箇所に接触部を有する導体コンタクトが複数整列配置されたコネクタを有することを特徴とする請求項１〜７のいずれか１項に記載の接続保持装置。
【請求項９】
板状絶縁体の同じ位置の表裏両面に弾性的に突出する接触部を有する導体コンタクトが位置を異ならせて複数整列配置されたコネクタを構成の一要素とすることを特徴とする請求項１〜７のいずれか１項に記載の接続保持装置。
【発明の詳細な説明】
【技術分野】
【０００１】
本発明は、２枚の回路基板を電気的に接続する基板間の接続保持装置に関する。
【背景技術】
【０００２】
従来、１つの回路基板の電極（パッド）列と他の回路基板の電極（パッド）列とを電気的に接続する場合、両回路基板をパッド同士が丁度向き合うように平行にして、その間にパッドとパッドを電気接続するコネクタを挟み、その状態を筐体構造自体で押さえ維持したり、或いは２枚の回路基板同士をコネクタを貫通するねじとナットで締め付けたりしていた（例えば、特許文献１参照）。
【特許文献１】特開平６−２６７６２１号公報（段落［００１２］〜［００１５］、図１〜４）
【発明の開示】
【発明が解決しようとする課題】
【０００３】
しかしながら、筐体で押さえ込む場合、当然ながら製品が最終的に組み上がらなければ保持されない。このため組立て作業等の間は仮保持させる必要があり、その構造が必要となるという問題がある。
ネジで固定する場合、回転させると言うネジ止め作業自体が工数増大の原因となる上、部品も増大し、重量増、コスト増の要因となる。また大きさにもよるが、作業中に当該製品内にネジを落してしまうなどのリスクも生じるという問題がある。
また、従来のような仕方では、回路基板を水平に並べてのパット間の電気接続をすることができないという問題もある。
【０００４】
本発明の課題は、上記従来技術の問題点に鑑みて、回路基板間を電気接続する場合に、接続状態を保持するのに筐体で押さえ込んだり、基板同士をねじ・ナットで締め付けたりすることなく、接続のための組み立て保持や保持解除の操作が容易にでき、且つ、従来のような、回路基板が平行な状態（重ね状態）での接続ばかりではなく、水平横並び状態でも基板間接続を行うことができる接続保持装置を提供することにある。
【課題を解決するための手段】
【０００５】
上記の課題を解決するために、本発明は以下の各手段構成を有する。
本発明の第１の構成は、
押さえ用の板状部材と、弾性線状部材で形成された押さえ保持部材とからなり、前記板状部材には、前記押さえ保持部材の係止部を係止する係止受け部と、前記押さえ保持部材の係合脚部が貫通し得る貫通孔とが設けられ、前記押さえ保持部材は、１本の弾性線状部材の長手中央部分がコの字状に屈曲して係止部が形成され、コ字状屈曲部から予め定めた寸法の位置でコ字部を含む平面に対して傾斜するように屈曲して延び、予め定めた寸法の位置で反転直角状に屈曲して係合脚部を形成し、その先端部分で端部が直角状に屈曲して保持部を形成していることを特徴とする接続保持装置である。
【０００６】
本発明の第２の構成は、
押さえ用の板状部材と、弾性線状部材で形成された押さえ保持部材とからなり、前記板状部材には、前記押さえ保持部材の係止部を係止する係止受け部と前記押さえ保持部材の係合脚部が貫通し得る貫通孔とが設けられ、前記押さえ保持部材は、１本の弾性線状部材の長手中央部から両側へ予め定めた寸法の位置で同一平面内で対称に直角状に屈曲して係止部が形成され、該屈曲箇所から予め定めた寸法の位置で前記同一平面内で、前記中央部分に平行に両側から寄り合うように屈曲し、そこから予め定めた寸法の位置で両側の線状部材が前記同一平面内で平行になるように対称に屈曲し、予め定めた寸法だけ延びた位置で前記平面に対して傾斜するように屈曲して延び、予め定めた寸法の位置で反転直角状に屈曲して係合脚部を形成し、その先端部分で端部が直角状に屈曲して保持部を形成していることを特徴とする接続保持装置である。
【０００７】
本発明の第３の構成は、前記第１の構成又は第２の構成において、
１枚の板状部材と複数の押さえ保持部材とからなり、板状部材には複数の押さえ保持部材に対応する係止受け部と貫通孔を有することを特徴とする接続保持装置である。
【０００８】
本発明の第４の構成は、前記第３の構成において、
押さえ保持部材がその係止部を背中合わせにして板状部材の係止受け部に係止されることを特徴とする接続保持装置である。
【０００９】
本発明の第５の構成は、前記第１〜第４の構成のいずれか１つの構成において、
係止受け部が板状部材の両側縁又は中央部にフック状に設けられていることを特徴とする接続保持装置である。
【００１０】
本発明の第６の構成は、前記第１〜第５の構成のいずれか１つの構成において、
保持部は、互いに向き合い近付くように内側に向けて屈曲されていることを特徴とする接続保持装置である。
【００１１】
本発明の第７の構成は、前記第１〜第６の構成のいずれか１つの構成において、
板状部材の貫通孔に、挿入開口部分に誘い傾斜面を有する筒状のガイド筒が設けられていることを特徴とする接続保持装置である。
【００１２】
本発明の第８の構成は、前記第１〜第７の構成のいずれか１つの構成において、
板状部材の裏面側に、板状絶縁体の１面に２箇所に接触部を有する導体コンタクトが複数整列配置されたコネクタを有することを特徴とする接続保持装置である。
【００１３】
本発明の第９の構成は、前記第１〜第７の構成のいずれか１つの構成において、
板状絶縁体の同じ位置の表裏両面に弾性的に突出する接触部を有する導体コンタクトが位置を異ならせて複数整列配置されたコネクタを構成の一要素とすることを特徴とする接続保持装置である。
【発明の効果】
【００１４】
本発明は、上記のような手段構成を有しているので以下のような効果を有する。
第１の構成では、押さえ保持部材の係止部を板状部材の係止受け部に係止すると、押さえ保持部材は係止部分より予め定めた寸法の位置から、板状部材の表面から離れるように傾斜する。押さえ保持部材は弾性線状部材でできているので、傾斜していった端部を板状部材の表面へ向けて押し付けると、押さえ保持部材の係合脚部が板状部材の貫通孔を貫通して裏側へ出ることになるが、このとき押さえ保持部材の前記傾斜開始点の部分が板状部材を押し付けているので、板状部材に対しても押さえ保持部材に対する押し付け方向と同じ方向に押し付け力が加わっている。
【００１５】
この状態で、板状部材の貫通孔と同じ位置に貫通孔があいている回路基板を板状部材裏面側に重ね、押さえ保持部材の係合脚部を回路基板の貫通孔をも貫通させて、その貫通孔の縁に保持部を係合させて、押さえ保持部材に加えていた押さえ手を離すと、押さえ保持部材は弾性部材であるので貫通孔から抜け出ようとする弾性力が生ずる。
しかし、その保持部が回路基板の貫通孔の縁に係っているので抜け出すことはできず、その弾性力は回路基板を板状部材へ押さえ付ける力となって作用する。この押さえ付けは、回路基板を２枚重ねて行うこともできるし、また、２枚の回路基板を水平に並べて保持部の一方は、一方の回路基板の貫通孔へ係合させ、他方の保持部を他方の回路基板の貫通孔へ係合させることにより、２枚の回路基板を水平に隣り合わせた状態で板状部材へ押さえ固定することができる。
【００１６】
従って、２枚の回路基板を重ねる場合にそれぞれの電極（パッド）列が対向し合うようにして、その間に向い合うパッド同士を電気接続するコンタクトが平面状に配列された板状コネクタを挟むことによって、２つの回路基板間の電気接続を行うことができるし、また、２つの回路基板を水平に隣り合わせて並べた場合にも、それぞれの回路基板の電極列が回路基板の隣接辺に平行して、個々の電極同士が対応するようにしておけば、両基板の個々の電極同士を電気接続するコンタクトが平行に配列された板状コネクタを回路基板とともに挟むことによって、水平横並びの２つの回路基板同士の電気接続を行うことができるという効果がある。
【００１７】
また、操作取り扱いも接続しようとするときは、回路基板とコネクタを位置合わせピンなど周知の技術によって位置合わせをして、板状部材の貫通孔と回路基板の貫通孔を揃えて、押さえ保持部材の係合脚部をそれぞれ貫通孔へ押し込むだけでよく、外すときは貫通孔への２つの屈曲部分を指で保持部が回路基板の貫通孔の縁から外れるように操作するだけで、後は押さえ保持部材の弾性によって貫通孔から抜け出し、接続が解除されるというようにねじ・ナットによる保持構造に較べて取り扱い操作が非常に簡単であるという効果がある。
【００１８】
第２の構成では、押さえ保持部材の係止部から傾斜屈曲点までの形状が第１の構成のように単純なコ字状ではなく、コ字状になった後、所定位置からコ字状と同一平面内で中央部分に平行に両側から寄り合うように屈曲し、そこから予め定めた寸法の位置で両側の線状部材が前記同一平面内で平行になるように対称に屈曲しているので、係止部分がコ字状の中央部ではなく両端であっても傾斜屈曲点は、その両端より内側にあるので、板状部材の係止受け部が板状部材の両側縁部にあっても、押さえ保持部材の係止部が係止受け部に係止しさえすれば傾斜屈曲点は、板状部材の中央部に位置し、押さえ保持部材に加えた押さえ力が板状部材に伝達されることになる。
このように、板状部材の係止受け部を形成加工のし易い両側縁部に設けることができるという効果がある。
【００１９】
第３の構成においては、１枚の板状部材に複数の押さえ保持部材が設けられるようになっているので、回路基板や回路基板と板状部材との間に共挟みするコネクタをしっかり板状部材に押し付け、保持することができるという効果がある。
【００２０】
第４の構成においては、押さえ保持部材を複数設ける場合に、押さえ保持部材がその係止部を背中合わせになるようにして配置されているので、板状部材と回路基板等との押し合う力がバランスよく加わるという効果がある。
【００２１】
第５の構成においては、板状部材に設けられる係止受け部がフック状であるため、その形成をプレス打ち抜き等によることができ、製造工程が簡単になるという効果がある。
【００２２】
第６の構成においては、保持部が互いに向き合うように内側に向けて屈曲されているので、貫通孔への屈曲部分を指で開くだけで保持部が回路基板の貫通孔の縁から外れ、接続解除操作がより簡単になるという効果がある。
【００２３】
第７の構成においては、板状部材の貫通孔に、挿入開口部分に誘い傾斜面を有する筒状のガイド筒が設けられているので、押さえ保持部材の係合脚部の挿入が円滑になるという効果がある。
【００２４】
第８の構成においては、板状部材の裏面側（回路基板側）に、板状絶縁体の回路基板側の面に２箇所に接触部を有する導体コンタクトが複数平行に整列配置されたコネクタを有しているので、水平に並べた２枚の回路基板間の電気接続を得るように保持することができるという効果がある。
【００２５】
第９の構成においては、板状絶縁体の同じ位置の表裏両面に弾性的に突出する接触部を有する導体コンタクトが複数整列配置されたコネクタを構成の１要素としているので、電極（パッド）の配列がこのコネクタと一致する２つの回路基板は位置合わせをして、コネクタを挟んだ状態を、板状部材と押さえ保持部材とで保持されることにより、回路基板間の接続を保持できるという効果がある。
【発明を実施するための最良の形態】
【００２６】
押さえ保持部材の屈曲点からの傾斜形状は、押さえ保持部材が板状部材に対して押圧する力が、押さえ保持部材全体に渡って、できるだけ均一になるように上反りの曲線形状とするのが最良の実施形態である。
【００２７】
本発明においては、回路基板における電極（パッド）の位置とコネクタの接触部の位置が一致する必要があるが、その位置合わせの手段として、板状部材の貫通孔にガイド筒を設け、このガイド筒にコネクタの貫通孔および回路基板の貫通孔を嵌合させることにより、位置合わせができるようにしておくのが最良の実施形態である。
【実施例】
【００２８】
以下、本発明の接続保持装置の実施例を図面を参照して説明する。
図１は、本発明の第１の実施例の３面図である。（ａ）は側面図、（ｂ）は上面図、（ｃ）は正面図である。
構成部材は、押さえ保持部材１と、板状部材２である。押さえ保持部材１は、弾性線状部材からなっており、（ｂ）で見るとコの字の上、下辺が延びた形状をしており、コの字の中央辺が係止部４となっている。（ａ）でみると、係止部４から所定距離だけ延びたところから上方へ屈曲傾斜している。
先端の方は、ほぼ直角に屈曲し係合脚部５が形成され、更に、所定の寸法の所で、（ｂ）および（ｃ）に示すように先端が向き合うように直角に屈曲して保持部７、７を形成している。
【００２９】
板状部材２は、金属その他の剛体でできており、押さえ保持部材１の係止部４を係止するためのフック状の係止受け部３と、係合脚部５が挿入されることになる貫通孔６が２つ設けられている。
押さえ保持部材１は、弾性材料でできているから、係合脚部５を貫通孔６へ向けて押すと下って行くが常に元に戻ろうとする反力が生ずる。
なお下げて行くと保持部７、７の先端は（ｂ）に示すように貫通孔６よりも外側に突出しているので、このままでは貫通孔６に挿入されないが、弾性を利用して２本の押さえ保持部材１を開くようにすることにより、貫通孔６へ挿入することができる。
【００３０】
保持部７、７が板状部材２の下面側に出たあと開く力を外すと、保持部７、７は弾性により元の位置に戻るので、貫通孔６、６の縁に引っ掛り抜けなくなる。
しかし、押さえ保持部材１の屈曲傾斜部の弾性により貫通孔６、６から抜け出ようとする力が作用しているので、保持部７、７は貫通孔６、６の下面周縁に強く押し付ける力を生じている。従って、板状部材２の下面に、貫通孔６、６と同様の貫通孔を有する板状品を、上下の貫通孔が一致するようにして当てがい、保持部７、７をその板状品の下面より下まで挿入させた後、押さえ保持部材１に対する押す力と係合脚部５を開く力を除去すると、保持部７、７は板状品を板状部材２の下面に押さえ付けることになる。このことは、板状品が２枚、３枚となっても同じことである。
また、２つの貫通孔６、６の間を境にして２枚の板状品を同一平面での横並び状態で押さえ保持することもできる。
【００３１】
これらの保持構造は、２枚の回路基板の間に両基板間の電気接続を行う板状のコネクタを挟んで保持することにより、回路基板間接続が可能であるし、同一平面上で並んだ回路基板間の電気接続を行う板状のコネクタを、回路基板と板状部材の間に挟んで押さえ保持することにより、回路基板間の電気接続を行うことができる。
【００３２】
また、押さえ保持させる操作は、押さえ保持部材１の係止部４を板状部材２の係止受け部３に係止し、係合脚部５を保持部７、７が貫通孔６、６へ挿入できるように開いて、保持部７、７を最下層の板状品の貫通孔の下面へ突出したところで手を離すだけでよい。この場合、板状品相互の位置合わせは、板状部材２の貫通孔にガイド筒を設けてもよいし、周知のガイドピンによってもよい。
接続保持を解除するときは、板状品の貫通孔の縁に引っ掛っている保持部７、７を貫通孔を抜け出せるよう開くだけでよく、非常に簡単な操作で行なうことができる。
なお、押さえ保持部材１の係止部４は板状部材２の係止受け部３に回動可能に係止するようにしてもよい。
【００３３】
図２は、本発明の第２の実施例の３面図である。
図１との相違は、板状部材２の係止受け部３の位置が、図１では板状部材２の幅方向中央部にあるのに対して、図２で板状部材２の幅方向両側縁部に設けられているため、押さえ保持部材１のコの字の両辺部が板状部材２の外側に出てしまうので、板状部材２に力が加えられるように、両側から内側へ直角に折れて板状部材の中に入ってから、再び平行になるように折れ曲っている点である。
これは、係止受け部３を打ち抜きでフック状に形成する場合、剪断力を加えるべき辺の数が少なくなる両側縁が形成し易いことから、そのような場合に押さえ保持部材１の形状を適合させたものである。
以上の点を除いては、図１の場合と同じである。
【００３４】
なお、図１および図２は、係止受け部３を中心にして、左右に押さえ保持部材１の係止部４を背中合わせにして対象に配置されている場合を示している。
図の（ａ）および（ｂ）においては、左側の先端部分が省略されているが、左右が全く対称となっている。
このように、複数の押さえ保持部材１と対応する係止受け部３および貫通孔６を設けることにより、板状品の板状部材２への押さえ付けは一層しっかりしたものとすることができる。
【００３５】
図３は、図１および図２の接続保持装置によって同一平面上に並んだ２枚の回路基板を接続保持した場合の図である。（ａ）と（ｂ）は図１の接続保持装置を用いた場合であり、（ｃ）は図２の接続保持装置を用いた場合であり、側面図は省略されている。
図３では、（ｂ）に示すように同一平面上で横に並んだ第１回路基板９および第２回路基板１０と板状部材２との間にコネクタ８を挟んで、保持部７、７によって板状部材２の方へ押さえ付けられている。コネクタ８は、１例として、図４に示すような構造をしている。（ａ）は側面図であり、（ｂ）はコンタクト面の平面図である。板状絶縁体２０に２箇所に接触部１１を有するコンタクト１２が平行に整列して設けられている。
【００３６】
コンタクト１２のピッチは、接続しようとする第１回路基板９、第２回路基板１０の電極（パッド）間隔に一致しており、１つのコンタクトの２つの接触部１１の間隔は、２つの回路基板が接続保持装置に保持されたときの両回路基板間の電極間の寸法に一致させてある。
このようなコネクタ８を貫通孔６により位置合わせをして、図３の（ａ）、（ｂ）のように保持することにより、２つの回路基板間の電気接続が保持されることになる。
（ｃ）は、接続保持装置が図２の場合のものを用いたもので、押さえ保持装置１の係止部４の形状が異なるのみで、他は同じである。
【００３７】
図５は、第１の回路基板９と第２の回路基板１０との間にコネクタ１３を挟んで保持された状態を示す図である。
【００３８】
図６はコネクタ１３を示す図である。（ａ）は側面図であり、（ｂ）は平面図である。
板状絶縁体１７に整列して設けられたコンタクト孔１６に、（ａ）に示すような形状の弾性コンタクト１４を嵌め込んだもので、上と下の山形部が接触部１５となる。
接触部１５は、力を加えない状態では、（ａ）に示すように板状絶縁体１７の上面と下面に突出しているが、押すと沈むが、常に弾性による反力を持って突出しようとする。
【００３９】
このようなコネクタ１３を、電極（パッド）の位置を対向させて向き合っている２枚の回路基板のパッドの位置に、コンタクト１４の接触部が当接するように位置決めして図５のように保持することにより、第１回路基板９と第２回路基板間の電気接続が行われることになる。
【００４０】
図７は、板状部材２の貫通孔６を単なる孔ではなく改良を加えた図である。
１つは、押さえ保持部材１の保持部７を挿入し易くするために誘い傾斜面１８を設けた点であり、２つ目は、板状部材２の下に保持される回路基板やコネクタとの位置決定用にガイド筒１９を設けた点である。
このガイド筒を回路基板やコネクタに予め設けられている貫通孔に挿入することにより、回路基板とコネクタとの位置決めが行われ、回路基板の電極（パッド）とコネクタコンタクトの接触部とが確実に対向できることになる。
ガイド筒１９は、板状部材２と一体に形成しても、別体に形成してもよい。
【図面の簡単な説明】
【００４１】
【図１】本発明の第１の実施例の３面図である。
【図２】本発明の第２の実施例の３面図である。
【図３】図１および図２の接続保持装置によって同一平面上に並んだ２枚の回路基板を接続保持した状態の側面図および正面図である。
【図４】図３におけるコネクタ８の側面図および正面図である。
【図５】２枚の回路基板の間にコネクタ１３を挟んで、２枚の回路基板を接続保持した状態の正面図である。
【図６】図５におけるコネクタ１３の側面図と平面図である。
【図７】本発明における板状部材の貫通孔を単なる孔ではなく誘い傾斜面とガイド筒を設けたものの断面図である。
【符号の説明】
【００４２】
１  押さえ保持部材
２  板状部材
３  係止受け部
４  係止部
５  係合脚部
６  貫通孔
７  保持部
８  コネクタ
９  第１回路基板
１０  第２回路基板
１１  接触部
１２  コンタクト
１３  コネクタ
１４  コンタクト
１５  接触部
１６  コンタクト孔
１７  板状絶縁体
１８  誘い傾斜面
１９  ガイド筒
２０  板状絶縁体
【図１】
2010027343.tif 000003
【図２】
2010027343.tif 000004
【図３】
2010027343.tif 000005
【図４】
2010027343.tif 000006
【図５】
2010027343.tif 000007
【図６】
2010027343.tif 000008
【図７】
2010027343.tif 000009